(57)【要約】【課題】音声報知機能付き加熱装置において、利用者に応じていつでも文節単位で聞きたい音声を検索できると同時に編集も可能なため、操作性を大幅に向上することができる加熱装置を供給すること。【解決手段】加熱部２と、制御手段１０と、入力手段８と、表示手段１１と、音声出力手段１２と、音声文節制御手段１８とを備え、音声出力手段１２に音声を出力した後でも、音声文節制御手段１８で音声を文節単位に制御でき、文節ごとのスキップや聞きなおしによる検索機能を有してなる加熱装置。【選択図】図１
2007071447.tif 000002
【特許請求の範囲】
【請求項１】
食品を加熱する加熱部と、前記加熱部を制御する制御手段と、メニューの選択や加熱条件等を入力する入力手段と、加熱条件や制御状態を表示する表示手段と、操作ガイドや調理方法等を音声で報知する音声出力手段と、文節ごとに区切られた音声を制御する音声文節制御手段を備えて、前記入力手段の情報に基づき前記音声文節制御手段により、前記音声出力手段から出力される音声を文節単位で聞きなおす機能を有してなる加熱装置。  
【請求項２】
入力手段の情報により、文節ごとに区切られた音声をスキップさせる機能を有することを特徴とした請求項１記載の加熱装置。
【請求項３】
入力手段の情報により、文節ごとに区切られた音声を停止させる機能を有することを特徴とした請求項１記載の加熱装置。
【請求項４】
入力手段の情報により、文節ごとに区切られた音声を編集できる機能を有することを特徴とした請求項１または２記載の加熱装置。
【請求項５】
文節ごとに区切られた音声をスキップまたは聞きなおす機能を入力手段のダイヤルを用いて制御することを特徴とした請求項１、２または４記載の加熱装置。
【発明の詳細な説明】
【技術分野】
【０００１】
本発明は、音声出力機能を有する加熱装置における音声出力制御方法に関するものである。
【背景技術】
【０００２】
近年、調理機器などの加熱装置にマイクロコンピュータを搭載することが広く行われており、料理に応じた最適な条件で制御できるように、複数の動作制御プログラムが内蔵されている。そのため、工程の多い複雑な調理が初心者でもできるように、音声出力機能を用いて、調理ガイドを行うものがある（例えば、特許文献１参照）。しかしながら、熟練者になってくると、煩わしくなるため、標準ガイドと簡単ガイドを有して、初心者は標準ガイド、熟練者は簡単ガイドを用いることにより操作性を向上させている（例えば、特許文献２参照）。
【０００３】
また、調理の各工程において細かく指示できるように音声出力で報知しているものもある（例えば、特許文献３参照）。
【０００４】
さらに、煩わしさに応じて、音声出力の音量を可変可能な構成や、不要な人は音声を切る状態に設定できるようにするのは、公知の技術である。
【０００５】
また、音声出力後、必要に応じて再度音声内容を聞きなおしができる構成にしたものも公知の技術である。
【特許文献１】特公昭６０−５６９７７号公報
【特許文献２】実公平７−１２８０２号公報
【特許文献３】特開２００３−１３０３６０号公報
【発明の開示】
【発明が解決しようとする課題】
【０００６】
しかしながら、前記従来の構成では、音声内容を聞き逃した場合、再度聞きなおしすることは可能でも、文章が長ければ、聞きたいところまで、待ち時間が長いなどの課題を有しており、再度聞き逃すと、極めて、操作性が悪くなるという課題を有していた。
【０００７】
本発明は、前記従来の課題を解決するもので、誰でも使いやすく、使用者の必要な音声を文節単位で分かるまで聞きなおすことができ、操作性を向上することができる加熱装置を提供することを目的とする。
【課題を解決するための手段】
【０００８】
前記従来の課題を解決するために、本発明の加熱装置は、食品を加熱する加熱部と、前記加熱部を制御する制御手段と、メニューの選択や加熱条件等を入力する入力手段と、加熱条件や制御状態を表示する表示手段と、操作ガイド等を音声で報知する音声出力手段と、文節ごとに区切られた音声を制御する音声文節制御手段を備えている。
【０００９】
さらに、音声出力手段に音声を出力した後でも、前記音声文節制御手段で音声を文節単位で聞きなおす機能を有している。
【００１０】
これによって、音声報知した内容が聞き取れなくても、調理方法等の長い文章でも文節単位で聞きなおすことが可能になり、誰でも操作しやすい加熱装置を提供することができる。
【００１１】
また、入力手段の情報により、文節ごとに区切られた音声をスキップさせる機能を有しているため、必要な文節までスキップさせることができ、音声の出力待ち時間を削減できるため、操作性の良い加熱装置を提供することができる。
【００１２】
また、入力手段の情報により、文節ごとに区切られた音声を停止させる機能を有しており、聞きなおしが不要になれば、聞きなおしを停止させることができ、最後まで聞く必要もなくなるため、煩わしさがなくなり、誰でも操作しやすい加熱装置を提供することができる。
【００１３】
また、入力手段の情報により、文節ごとに区切られた音声を編集できる機能を有しており、調理方法など長い文章で聞かなくても分かる部分は削除可能にし、必要な時には削除した音声を復活するなどの編集機能を備えることにより、自分知りたい情報を知らせてくれる、誰でも操作しやすい加熱装置を提供することができる。
【００１４】
さらに、文節ごとに区切られた音声のスキップ、聞きなおしまたは編集機能を入力手段のダイヤルを用いて制御することにより、左右のまわす方向により、文節ごとのスキップや聞きなおしが可能になり、簡単に聞きたい音声を検索でき、更なる操作性を向上することが可能になる。
【発明の効果】
【００１５】
本発明の加熱装置は、音声ガイドにより操作手順を報知するだけでなく、利用者に応じていつでも文節単位で聞きたい音声を検索できるため、誰でも簡単に操作することが可能になり、操作性の向上を図ることができる。
【発明を実施するための最良の形態】
【００１６】
第１の発明は、食品を加熱する加熱部と、加熱部を制御する制御手段と、メニューの選択や加熱条件等を入力する入力手段と、加熱条件や制御状態を表示する表示手段と、操作ガイド等を音声で報知する音声出力手段と、文節ごとに区切られた音声を制御する音声文節制御手段とを備えているので、音声出力手段に音声を出力した後でも、前記音声文節制御手段により、前記音声出力手段から出力される音声を文節単位で聞きなおす機能を備えることにより、誰でも使いやすく、操作性の向上を図ることができる。
【００１７】
第２の発明は、特に、第１の発明の加熱装置において、入力手段の情報により、文節ごとに区切られた音声をスキップさせる機能を有するもので、聞き逃した音声を聞きなおす際、必要な文節までスキップさせることができ、待ち時間を削減できるため、操作性の良い加熱装置を提供することができる。
【００１８】
第３の発明は、特に、第１の発明の加熱装置において、入力手段の情報により、文節ごとに区切られた音声を停止させる機能を有することにより、聞きなおしが不要になれば、聞きなおしを停止させることができ、最後まで聞く必要もなくなるため、煩わしさがなくなり、誰でも操作しやすい加熱装置を提供することができる。
【００１９】
第４の発明は、特に、第１または第２の発明の加熱装置において、入力手段の情報により、文節ごとに区切られた音声を編集できる機能を有することにより、調理方法など長い文章において、聞かなくても分かる部分は削除可能にし、必要な時には削除した音声を復活するなどの編集が可能になり、自分が知りたい音声情報に加工することができ、更なる操作性を向上することができる。
【００２０】
第５の発明は、特に、第１、２または第４の発明の加熱装置において、音声をスキップ
または聞きなおす機能を入力手段のダイヤルを用いて制御することにより、左右のまわす方向により、文節ごとのスキップや聞きなおしが可能になり、更なる操作性を向上することが可能になる上、キー数を増やすことなく構成でき、見た目の煩雑さもなくすことができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における加熱装置の詳細ブロック図を示すものである。
【００２３】
図２に、代表的な加熱装置である電子レンジの外観構成図、図３に操作部を示す。
図２において、電子レンジの本体１内には、加熱室（加熱部）２が設けられている。本体１の前面には、メニューの選択等を行う複数のキー３と、調理時間等の設定を行うダイヤル１３、１４からなる操作部５と、メニューや調理時間等の表示を行う表示部６を設けている。一般的な電子レンジと同じである。
【００２４】
以上のように構成された加熱装置について、図１、図２および図３を用いて以下にその動作、作用を説明する。
【００２５】
まず、操作部５にあるレンジキー７を押下すると、入力手段８は、マイクロコンピュータ９（以下マイコンと称す）内にある制御手段１０に信号を送り、制御手段１０は、初期出力値を選択し、表示手段１１に信号を送り、表示手段１１は表示部６に出力表示を行うと共に、制御手段１０は、次の操作手順を選択し、音声出力手段１２に信号を送信し、音声出力手段１２は、電子レンジ内部に取り付けられたスピーカ（図示せず）により音声を報知する。ただし、熟練者にとって、すぐに音声を報知させると煩わしいため、一定時間経過した後に音声を報知するようにしている。
【００２６】
ここで、ダイヤル１３が回されると、入力手段８から、制御手段１０に信号が送られ、制御手段１０は、表示手段１１に信号を送り、表示手段１１は表示部６に変更された出力表示を行う。同時に、制御手段１０は、レンジの出力設定状態が変化したため、次の操作手順を音声出力手段１２に信号を送信し、音声出力手段１２は、電子レンジ内部に取り付けられたスピーカにより音声を報知する。
【００２７】
続いて、操作部５内のダイヤル１４により、調理時間が設定され、スタートキー１５が押下されると、入力手段８から制御手段１０に信号が送られ、制御手段１０は、高周波発振器１６を制御して、加熱を開始する。
【００２８】
次に、音声報知について説明する。前述のように操作キーが入力された後、一定時間経過後に音声報知を行うが、すぐに音声ガイドを聞きたい場合、音声ボタン１７を押すことにより、音声ガイドが報知される。音声ガイドが報知後、音声を聞きなおす場合は、音声ボタン１７を押せば、再度聞きなおすことができる。この聞きなおし時に、ダイヤル１４を右に回すと、音声文節制御手段１８にて、音声の文節をスキップさせ、次の文節の音声ガイドを出力する。ダイヤル１４を左に回すと、一つ前の文節に戻り、音声を出力させる。このように、右に回せば、文節を進めていき、左に回せば、文節を戻すことができ、聞きたい音声をすぐに呼び出すことになる。ダイヤル１４を回したことで、文節ごとの音声を出力するモードに入っているため、ここで音声ガイドを押せば、音声を停止させることができる。
【００２９】
なお、ダイヤルがなければ、スキップと聞きなおしの機能をキーに割り当てれば、特に問題はない。また、音声の停止についても、取り消しキーや別のキーに割り当てても、かまわない。
【００３０】
また、ダイヤルを回さなければ、通常の聞きなおしができ、ダイヤルが回されれば、文節単位で音声を止めることも可能である。この場合に、文節ごとに音声内容を確認していき、不要な音声がある場合は、その文節に合わせて、削除機能を割り当てたキーを押すことにより、削除することができる。一度削除したものを復帰させたい場合、文節のところで、復帰させる機能を割り当てたキーを操作することにより、復帰させることも可能だが、忘れてしまう場合もあるため、復帰させる場合は、すべて復帰させるほうが、わかりやすい。なお、この情報は、不揮発性メモリなどに記憶させることにより、電源がＯＦＦされても、記憶しておくことが可能である。
【００３１】
また、ダイヤルを用いず、専用のキーを配置しても、同様のことが可能である。
【００３２】
以上のように本実施の形態においては、音声文節制御手段１８により、音声内容を文節ごとにスキップや聞きなおし、編集などが可能になるため、操作性が大幅に向上した加熱装置を提供することができる。
【００３３】
（実施の形態２）
図４は、本発明の第２の実施の形態における加熱装置の音声出力制御処理のフローチャートを示すものである。
【００３４】
図４において、入力手段８から操作キー、ダイヤル、ドアの開閉等の入力信号が入力されるか、調理が終了するなどの状態変化等がある場合、マイコン９は、この音声出力制御処理の中で、音声出力の処理を行う。
【００３５】
ステップＳ１で、操作キーなどによる状態変化があるか否かの判断がなされ、状態変化があればステップＳ２に移行する。ステップＳ２では、各メニューや状態に応じた状態番号を設定する。続いて、ステップＳ３に移行し、状態番号に応じた音声パターンを取得する。これにより報知する内容が決定する。次にステップＳ４に移行し、状態番号に応じた音声報知するまでの待ち時間がセットされる。なお、ステップＳ３とステップＳ４はどちらが先でも構わない。
【００３６】
ステップＳ４で音声報知内容および音声報知までの待ち時間がセットされると、ステップＳ１に戻り、待ち時間中にキー操作等により状態が変化すれば、再度ステップＳ２に移行し、次の音声が設定される。状態変化がなければ、ステップＳ５に移行し、音声ボタン１７の入力があるか否かを判断する。なければ、ステップＳ６に移行し、待ち時間が経過したか否かの判断を行う。経過していなければ、ステップＳ１に移行し、繰り返す。
ステップＳ６で待ち時間が経過すれば、ステップＳ７に移行し、音声出力手段１２にデータ送信し、音声報知を行う。
【００３７】
待ち時間経過するまでに、ステップＳ５で、音声ボタン１７が押されると、ステップＳ８で編集キー入力があるか否かを判断し、編集キー入力がなければ、操作ガイドを報知するため、ステップＳ７に移行し、音声出力手段１２にデータ送信し、音声報知を行う。
ステップＳ５で音声ボタン１７が押されたときに、すでに、待ち時間が経過して音声出力した後であれば、聞きなおし報知ということになる。
【００３８】
また、待ち時間に関係なく、いつでも、ステップＳ５で、音声ボタン１７の入力があり、ステップＳ８で編集キー入力ありと判断されれば、ステップＳ９に移行し、音声文節制
御手段１８にてスキップ機能であれば文節を飛ばしていき、聞きなおし機能であれば文節を戻し、停止機能であれば音声出力を停止させ、削除機能であれば音声を削除する処理を行い、設定された文節データをセットした後、ステップＳ７に移行し、音声出力手段１２にデータ送信し、音声報知を行う。
【００３９】
なお、文節単位は、例えば、「左ダイヤルで」「出力を」「選んでください」などのように、文章の区切りごとに細かくしたほうが、選択しやすく、操作性がよい。
【００４０】
また、文節ごとの削除などの編集機能については、特に調理レシピを音声報知する場合など、長い文章には極めて有効である。
【００４１】
これらの構成により、利用者に応じていつでも文節単位で聞きたい音声を検索できるため、誰でも簡単に操作することが可能である。
【産業上の利用可能性】
【００４２】
以上のように、本発明にかかる加熱装置は、利用者に応じていつでも文節単位で聞きたい音声を検索できると同時に編集も可能なため、誰でも煩わしさがなく簡単に操作することが可能になり、操作性の大幅な向上を図ることができる。
【図面の簡単な説明】
【００４３】
【図１】本発明の実施の形態１における加熱装置の詳細ブロック図
【図２】本発明の実施の形態１における加熱装置の外観構成図
【図３】本発明の実施の形態１における加熱装置の操作部の外観図
【図４】本発明の実施の形態２における加熱装置のフローチャート
【符号の説明】
【００４４】
２  加熱部
８  入力手段
１０  制御手段
１１  表示手段
１２  音声出力手段
１８  音声文節制御手段
【図１】
2007071447.tif 000003
【図３】
2007071447.tif 000004
【図４】
2007071447.tif 000005
【図２】
2007071447.tif 000006